(57)【特許請求の範囲】
【請求項１】
戸車を介してガイドレールに支持されると共に引分け式に開く左右の扉と、左右の扉が収納される左右の戸袋と、左右の戸袋間の上方に配置された左右の扉の開閉を連動させるための引分け連動機構とを備えた引分け連動戸において、閉じた状態の左右の扉の左右端間における上方に、点検口及び引分け連動機構のうち点検を必要する箇所としての要点検部が配置され、
引分け連動機構は、支持具と、支持具に取り付けられ且つ支持具と共に点検口から取り出し可能な従動プーリを備え、
支持具とガイドレールとが、それぞれ別個に左右の戸袋の上方における空洞内の壁面に対して固定されたことを特徴とする引分け連動戸。
【請求項２】
請求項１に記載の引分け連動戸において、支持具が固定され且つ従動プーリと共に支持具を点検口へ引き出すためのスライド溝を形成した補強体を備えたことを特徴とする引分け連動戸。
【請求項３】
請求項１に記載の引分け連動戸において、閉じた状態の左右の扉の左右端間における上方に、点検口を開閉する点検パネルを備え、従動プーリの支持具における点検パネルから外れた箇所が溝形成具の溝に挿入されることにより固定されたことを特徴とする引分け連動戸。
【請求項４】
請求項１に記載の引分け連動戸において、要点検部が引分け連動機構におけるストップ装置であることを特徴とする引分け連動戸。
【請求項５】
請求項１に記載の引分け連動戸において、要点検部が引分け連動機構における連結体の扉に対する連結部であり、この連結部が点検口側に転動可能であることを特徴とする引分け連動戸。
【発明の詳細な説明】
【０００１】
【発明の属する技術分野】
本発明は、引分け連動戸に関する。
【０００２】
【従来の技術】
引分け連動戸は、図２３に示すように、引き分け式に配置された左右の扉１，２を備えており、いずれか一方の扉１又は２を開くとこれに連動して左右の扉１，２が同時に開き、また、左右どちらかの扉１又は２を閉じると左右の扉１，２が同時に閉じるようになっている。
【０００３】
実用新案登録第２５３８５８４号公報は、この引分け連動戸の引分け連動機構について開示する。この引分け連動機構については図示しないが、左右の各扉が各頂部に設けた二個の車輪によって、建物の壁等に固定されたガイドレールに懸吊される。左右の扉の上部では、扉の移動方向に沿ってベルトが両側の従動ホイール間に無端状に掛け渡され、一方の扉における戸車ユニットの腕がベルトの上側の走行部と結合し、他方の扉における戸車ユニットの腕がベルトの下側の走行部に結合する。ベルトの背側には動力手段としての電動シリンダが配置され、そのピストンロッドの先端が扉の腕に結合する。そこで、電動シリンダがモータの制御によりピストンロッドを押し出すと、ピストンロッドの先端につながれた腕を介して扉を一方に開く。ピストンロッドの移動は、同時にベルトを巡回させるので、他方の扉は、一方の扉と同期して反対方向に等量だけ開く。
【０００４】
【発明が解決しようとする課題】
引分け連動機構は、建物の所定の壁に空洞を設けこの空洞内に収納する必要がある。空洞は図２３に示す左右の扉１，２を入れる戸袋３，４の両端間にわたって形成する必要があり、また引分け連動機構の要点検部が空洞内の全域に点在しているので、従来は引分け連動機構の取り付け、点検、保守等をする為の点検口とこれを開閉する図２３に示す点検パネル５が左右の戸袋３，４の両端間の全長にわたり設けられている。そのため、点検パネル５は左右方向の幅が大きく外観上の美観を損ねやすいと共に、重量が大きくなるという問題がある。また、点検パネル５の左右幅が戸袋３，４の端まで伸びているので、左右の戸袋３，４も建物の壁６と別体に形成され、施工上それだけ工数が増加するという問題がある。
【０００５】
本発明の目的は、上記諸問題点を解決することができる引分け連動戸を提供することにある。
【０００６】
【課題を解決するための手段】
上述した課題を解決するために、請求項１に係る発明は、戸車（２０）を介してガイドレール（２１，２２）に支持されると共に引分け式に開く左右の扉（１２，１３）と、左右の扉（１２，１３）が収納される左右の戸袋（１４，１５）と、左右の戸袋（１４，１５）間の上方に配置された左右の扉（１２，１３）の開閉を連動させるための引分け連動機構（１８）とを備えた引分け連動戸において、閉じた状態の左右の扉（１２，１３）の左右端間における上方に、点検口（４７ａ）及び引分け連動機構（１８）のうち点検を必要する箇所としての要点検部が配置され、引分け連動機構（１８）は、支持具（２４，２５）と、支持具（２４，２５）に取り付けられ且つ支持具（２４，２５）と共に点検口（４７ａ）から取り出し可能な従動プーリ（２６，２７）を備え、支持具（２４，２５）とガイドレール（２１，２２）とが、それぞれ別個に左右の戸袋（１４，１５）の上方における空洞（１７）内の壁面（２３）に対して固定された引分け連動戸を採用する。
【０００７】
また、請求項２に係る発明は、請求項１に記載の引分け連動戸において、支持具（２４，２５）が固定され且つ従動プーリ（２６，２７）と共に支持具（２４，２５）を点検口へ引き出すためのスライド溝を形成した補強体（４９）を採用する。
【０００８】
また、請求項３に係る発明は、請求項１に記載の引分け連動戸において、閉じた状態の左右の扉（１２，１３）の左右端間における上方に点検口（４７ａ）を開閉する点検パネル（４７）を備え、従動プーリ（２６，２７）の支持具（２４，２５）における点検パネル（４７）から外れた箇所が溝形成具（２８，２９）の溝（３０）に挿入されることにより固定された引分け連動戸を採用する。
【０００９】
また、請求項４に係る発明は、請求項１に記載の引分け連動戸において、要点検部が引分け連動機構（１８）におけるストップ装置（４３，４４）である引分け連動戸を採用する。
【００１０】
また、請求項５に係る発明は、請求項１に記載の引分け連動戸において、要点検部が引分け連動機構（１８）における連結体（３２）の扉（１２，１３）に対する連結部（３４ａ，３４ｂ）であり、この連結部（３４ａ，３４ｂ）が点検口（４７ａ）側に転動可能である引分け連動戸を採用する。
【００１１】
【発明の実施の形態】
以下、本発明に係る引分け連動戸の実施の形態について添付図面を参照して説明する。
【００１２】
＜実施の形態１＞
図１において、符号７は出入口のある正面壁を示し、符号８，９，１０，１１は正面壁７を取り囲む天井、床、左側壁、右側壁を夫々示す。
【００１３】
引分け連動戸は、正面壁７の出入口を閉じる左右の扉１２，１３を備える。左右の扉１２，１３は引分け式に開くようになっており、開扉時に左右の各扉１２，１３を収納するための戸袋１４，１５が正面壁７の出入口の左右にそれぞれ形成される。戸袋１４，１５内の床面上には、図２に示すように扉１２，１３の開閉を案内するためのガイドローラ１６が設けられる。また、左右の戸袋１４，１５の左右端間における上方には図２に示すような空洞１７が形成され、この空洞１７内に左右の扉１２，１３の開閉を連動させるための後述する引分け連動機構１８が設けられる。
【００１４】
引分け連動機構は、図３乃至図１０に示すような構成を有する。
【００１５】
すなわち、図３乃至図６に示すように、左右の扉１２，１３の上部には各々二個の戸車ユニット１８ａ，１８ｂ，１９ａ，１９ｂが設けられ、戸車２０が走行するガイドレール２１，２２が各扉１２，１３ごとに用意され上記空洞１７内の壁面２３に固定される。戸車２０が各ガイドレール２１，２２上を転動することにより左右の扉１２，１３は開閉動作可能である。
【００１６】
図３，図４，図７，図８，図９及び図１０に示すように、左右の戸袋１４，１５の上方における空洞１７内の壁面２３には、左右の支持具２４，２５を介して夫々左右の従動プーリ２６，２７が回転自在に取り付けられる。支持具２４，２５はアングル材で形成され、その一端は空洞１７内の壁面２３に固定された溝形成具２８，２９の溝３０に挿入されることにより壁面２３から浮き上がらないように固定され、他端は壁面２３に固定ネジ３１により固定される。各従動プーリ２６，２７は支持具２４，２５の外端に水平軸を介し回転可能に支持される。
【００１７】
図３乃至図１０に示すように、左右の従動プーリ２６，２７間には連結体であるタイミングベルト３２が巻回される。連結体としてタイミングベルト３２のほか、ワイヤ等も用いることができる。タイミングベルト３２の両端は下側の走行部３２ｂ上に配置され、右扉１３の一方の戸車ユニット１９ａに連結される。具体的には、タイミングベルト３２の両端は戸車ユニット１９ａに設けられたブラケット５７ａ，５７ｂに対し連結具３４ａ，３４ｂ、固定ネジ３５等により連結される。これにより、タイミングベルト３２は無端状になる。また、タイミングベルト３２の上側の走行部３２ａには、左扉１２における一方の戸車ユニット１８ｂの腕３３が連結される。このように左右の扉１２，１３がタイミングベルト３２の上側走行部３２ａと下側走行部３２ｂに分けて連結されるため、左右の扉１２，１３は対称的に移動し、一方の扉１２又は１３を開くと他方の扉１３又は１２も開き、一方の扉１２又は１３を閉じると他方の扉１３又は１２も閉じる。
【００１８】
図３、図４及び図６に示すように、上記空洞１７内の壁面２３における左右間中央部には閉扉駆動装置３６が固定され、右扉１３の一方の戸車ユニット１９ａには制動装置３７が設けられる。閉扉駆動装置３６は公知の装置であるから詳しくは説明しないが、閉扉駆動装置３６はその内部に発条（図示せず）と駆動ワイヤ３８とを備え、駆動ワイヤ３８の一端が右扉１３の一方の戸車ユニット１９ａに接続されることにより、発条と駆動ワイヤ３８とで右扉１３を閉扉方向に常時付勢する。制動装置３７も公知の装置であるから詳しくは説明しないが、制動装置は、図６及び図９に示すように、一方のガイドレール２２に固定されたラック４１と戸車２０の水平軸に固定されたピニオン４２を備える。また、図示しないが内部には一方向クラッチ、制動車等を備える。扉１２，１３が開かれるときは一方向クラッチの作用で戸車２０は制動力を加えられることなく回転し、扉１２，１３が閉じられるときは所定の開度からピニオン４２がラック４１に噛み合い一方向クラッチの作用で戸車２０に制動力が加えられる。そのため扉１２，１３は途中までは速やかに閉じるが、閉じ切る直前は減速され静粛に閉じる。
【００１９】
左扉１２と上記空洞１７との間には、扉１２のストップ装置が設けられている。図３，図４，図５及び図７に示すように、ストップ装置は弾性体である板バネ４３と板バネ４３が係合するローラ４４とを備える。ローラ４４は左扉１２の反戸袋側の戸車ユニット１８ｂに取り付けられ、板バネ４３は空洞の壁面２３上に固定される。扉１２，１３を開き切ったときにローラ４４が板バネ４３の係合片に係合し、扉１２，１３が開状態に保持される。扉１２，１３を閉じるときは閉方向に少しばかり力を加えることでローラ４４は板バネ４３による拘束を解かれる。
【００２０】
この引分け連動戸においては、図３に示すように、閉じた状態の左右の扉１２，１３の左右端間における上方に、引分け連動機構１８の主要な構成部である要点検部がまとめられ、図１及び図２に示すように、この要点検部の点検口４７ａと点検口４７ａを開閉する点検パネル４７とが、閉じた状態の左右の扉１２，１３の左右端間における上方に設けられる。
【００２１】
要点検部は、施工後の例えば定期的な点検を必要とする箇所であり、従動プーリ２６，２７の支持具２４，２５の固定ネジ３１、ストップ装置の板バネ４３、タイミングベルト３２の扉１３に対する連結部、戸車ユニット１８ａ，１８ｂ，１９ａ，１９ｂ、閉扉駆動装置３６、制動装置３７等である。
【００２２】
図１乃至図３に示すように、点検口４７ａは、引分け連動機構１８が収められる空洞１７の開口部のうち、閉状態の左右扉１２，１３の上方に対応する箇所に対応するように設けられる。点検パネル４７はこの点検口４７ａを開閉する蓋であり、空洞１７の開口部の上縁にヒンジ４８を介し開閉自在に連結される。このように点検口４７ａ及び点検パネル４７が閉状態の左右扉１２，１３の上方に対応する箇所に限定して設けられるので、点検パネル４７は左右方向の幅Ｗが小さくなって見栄えが良くなり、重量も軽くなる。
【００２３】
上記空洞１７の開口部における点検口４７ａ以外の箇所は正面壁７で覆われる。正面壁７で覆われた空洞１７内には従動プーリ２６，２７を配置しなければならないが、従動プーリ２６，２７は次のようにして空洞１７内の奥に配置される。すなわち、溝形成具２８，２９を空洞１７の奥に予め固定しておき、従動プーリ２６，２７を取り付けた支持具２４，２５を点検口４７ａ側から挿入し、溝形成具２８，２９の溝３０に支持具２４，２５の一端を挿入し、支持具２４，２５の他端を点検口４７ａから露出した空洞１７の壁面２３に固定ネジ３１で固定する。これにより、従動プーリ２６，２７を空洞１７の奥に配置することができる。また、配置後も固定ネジ３１を緩めて支持具２４，２５を溝形成具２８，２９から抜き取るようにすることで、従動プーリ２６，２７を空洞１７から容易に取り出し、点検等に付することができる。
【００２４】
上記空洞１７の開口部における点検口４７ａ以外の箇所が正面壁７で覆われる結果、正面壁７は上下方向で途切れることなく延長可能となり、その下方の戸袋１４，１５も同じ正面壁７で覆われる。これにより、正面壁７の施工性が改善される。また、戸袋１４，１５と正面壁７は一体化され、表面が同一面化され、外観の見栄えが向上する。
【００２５】
次に、上記構成の引分け連動戸の作用を説明する。
【００２６】
図３に示すように、従動プーリ２６，２７の支持具２４，２５の固定ネジ３１、ストップ装置、タイミングベルト３２の扉１２，１３に対する連結部等の引分け連動機構の要点検部が、左右の扉１２，１３が閉じたときに左右の扉１２，１３の左右端間における上方に集中するように配置される。そして、図１に示すように、この要点検部の点検口４７ａと点検口４７ａを開閉する点検パネル４７とが、閉じた状態の左右の扉１２，１３の左右端間における上方に設けられる。これにより、点検パネル４７の左右幅Ｗが低減し、重量が低減する。また、左右の戸袋１４，１５及びその上方における引分け連動機構１８を収納する空洞１７が正面壁７と一体の壁で覆われるので、正面壁７の施工性が向上し、見栄えも高まる。
【００２７】
この引分け連動戸を開くには、図３の閉位置にある左右の扉１２，１３の一方に手を掛けて開扉方向に力を加える。これにより、左右の扉１２，１３が離反状態へと移行し、左右の扉１２，１３は引分け式に開く。
【００２８】
引分け連動戸を閉じるには、図４の開位置にある左右の扉１２，１３の一方に手を掛けて閉扉方向に力を加える。これにより、ストップ装置の板バネ４３とローラ４４とが図７（Ｂ）の係合状態から同図（Ａ）の離反状態へと移行し、閉扉駆動装置３６が作動してその牽引力で左右の扉１２，１３を閉じ方向に移動させる。
【００２９】
引分け連動戸の引分け連動機構１８を点検する場合は、左右の扉１２，１３を閉じた状態にしたうえで、点検パネル４７を開く。これにより、従動プーリ２６，２７の支持具２４，２５の固定ネジ３１、ストップ装置、タイミングベルト３２の連結部等の引分け連動機構の要点検部が点検口４７ａから正面壁７の前方へ露出し、これら要点検部の保守、点検等が可能になる。従動プーリ２６，２７は正面壁７の背後に隠れているが、その点検、修理、交換等は、支持具２４，２５の固定ネジ３１を外し、支持具２４，２５を溝部材２８，２９から抜き取って点検口４７ａから取り出すことにより行うことができる。
【００３０】
＜実施の形態２＞
図１１乃至図１３に示すように、この実施の形態２の引分け連動戸における従動プーリ２７の支持具２５は板状の補強体４９を介して空洞１７内の壁面２３に固定される。補強体４９はガイドレール２２と一体的に形成され、上記壁面２３上に固定される。補強体４９の上部にはガイドレール２２に平行にスライド溝５０が形成される。スライド溝５０には固定ボルト５１の頭部５１ａが挿入され、固定ボルト５１とこれに螺合するナット５２とにより従動プーリ２７の支持具２５が補強体４９上に固定される。
【００３１】
従動プーリ２７等の保守点検に際しては、ナット５２を緩めて固定ボルト５１の頭部５１ａをスライド溝５０内でスライドさせることにより従動プーリ２７等を支持具２５と共に正面壁７の内側から点検口４７ａへと引き出すことができる。
【００３２】
＜実施の形態３＞
図１４及び図１５に示すように、この実施の形態３の引分け連動戸においては、連結体であるタイミングベルト３２の扉１３に対する連結部が点検口４７ａ（図２参照）側に転動可能になっている。すなわち、タイミングベルト３２の両端がそれぞれ上下二枚の板片からなる連結具３４ａ，３４ｂとで挟まれた上でビス５３により締め付けられる。そして、この連結具３４ａ，３４ｂが戸車ユニット１９ａのブラケット５７ａ，５７ｂに対し、タイミングベルト３２の伸長方向に伸びる支軸５４ａ，５４ｂを介して連結される。タイミングベルト３２を挟んだ連結具３４ａ，３４ｂを図１４のごとく支軸５４ａ，５４ｂを支点にして点検口４７ａ側へと転動させるとビス５３を点検口４７ａ側からねじ込むことができ、タイミングベルト３２の取付、調整、交換等の操作を簡易に行うことができる。タイミングベルト３２の取付け等が終わった後に図１１のごとく連結具３４ａ，３４ｂを水平に戻すことでタイミングベルト３２の捩れが解消される。連結具３４ａ，３４ｂが戸車ユニット１９ａに対し水平に固定された状態ではドライバ等の工具が空洞１７の天面や天井８につかえてタイミングベルト３２の取付けや点検等が困難になる場合があるが、この実施の形態３のように連結具３４ａ，３４ｂが垂直面内で回動可能であるとタイミングベルト３２の取付け操作等を簡易に行うことができる。
【００３３】
なお、この実施の形態３における連結体の扉１３に対する連結部を点検口４７ａ側に転動可能にする構成は、引分け連動戸に限らず、片引き戸あるいは複数の扉を連結した戸にも適用することができる。
【００３４】
＜実施の形態４＞
図１６及び図１７に示すように、この実施の形態４の引分け連動戸における連結体であるタイミングベルト３２の扉１３に対する連結部は実施の形態１の場合と同様な連結具３４ａ，３４ｂを備えるが、実施の形態１の場合と相違し、一方の連結具３４側の締付けネジと、他方の連結具３４ｂ側の締付けネジとがノブ付きビス５５になっている。このため、工具を用いることなくネジを回すことができ、タイミングベルト３２の取付、交換等の作業をより簡易に行うことができる。
【００３５】
なお、この実施の形態４における連結体の扉１３に対する連結部にノブ付きビスを用いる構成は、引分け連動戸に限らず、片引き戸あるいは複数の扉を連結した戸にも適用することができる。
【００３６】
＜実施の形態５＞
図１８乃至図２０に示すように、この実施の形態５の引分け連動戸における連結体であるタイミングベルト３２の扉１３に対する連結部はクリップ５６によりワンタッチ操作で係脱される。すなわち、戸車ユニット１９ａのブラケット５７ａにおけるタイミングベルト３２の受座上にはタイミングベルト３２を両側から挟む突起５８が形成される。受座には連結具３４ａがタイミングベルト３２の上から押し付けられ、受座の突起５８が連結具３４ａに形成された穴５９に嵌まり込む。連結具３４ａにはタイミングベルト３２の歯が嵌まり込む凹部６０も形成されている。図１８に示すごとくブラケット５７ａの受座にタイミングベルト３２及び連結具３４ａが重ねられた上でこれらを挟むようにクリップ５６が装着されると、図１９及び図２０に示すごとくタイミングベルト３２が戸車ユニット１９ａに連結される。クリップ５６はその先端の返し５６ａが連結具３４ａ及びブラケット５７ａの側縁に引っ掛かり、またクリップ５６の両縁が連結具３４ａを貫通した受座側の突起５８で挟持される。そのため、タイミングベルト３２は戸車ユニット１９ａに強固に連結される。
【００３７】
なお、この実施の形態５における連結体の扉１３に対する連結部の構成は、引分け連動戸に限らず、片引き戸あるいは複数の扉を連結した戸にも適用することができる。
【００３８】
＜実施の形態６＞
図２１及び図２２に示すように、この実施の形態６の引分け連動戸は、従動プーリ２７の近傍に連結体であるタイミングベルト３２の外れ防止部材として押えローラ６１を備えている。
【００３９】
押えローラ６１は従動プーリ２７の支持具２５上に水平な支軸６１ａを介して回転可能に支持される。この押えローラ６１によりタイミングベルト３２の従動プーリ２７からの脱落が阻止される。また、タイミングベルト３２等の保守点検時において従動プーリ２７等を空洞１７内から取り出す際に、タイミングベルト３２を従動プーリ２７に押し付けたまま従動プーリ２７をタイミングベルト３２と一体で取り出すことができるので、保守点検等を簡易かつ迅速に行うことができる。
【００４０】
【発明の効果】
請求項１の発明によれば、引分け式に開く左右の扉と、左右の扉が収納される左右の戸袋と、左右の戸袋間の上方に配置された左右の扉の開閉を連動させるための引分け連動機構とを備えた引分け連動戸において、閉じた状態の左右の扉の左右端間における上方に、点検口及び引分け連動機構の要点検部が配置された引分け連動戸であり、点検パネルは左右の扉を閉じた状態の上方にのみ設けられるので、点検パネルの左右方向の幅を狭くして外観上の見栄えを改善することができ、また、点検パネルの重量も軽くすることができる。また、点検パネルの幅が低減される結果、左右の戸袋と壁とを一体に形成することができ、この引分け式連動戸の据付工事の施工性が改善され、壁面の見栄えも向上する。また、従動プーリの点検、修理、交換等は、支持具を外し、従動プーリと共に支持具を点検口から取り出すことにより行う。
【００４１】
請求項２の発明によれば、請求項１に記載の引分け連動戸において、支持具が固定され且つ従動プーリと共に支持具を点検口へ引き出すためのスライド溝を形成した補強体を備える引分け連動戸であり、従動プーリ等の保守点検に際しては、従動プーリと共に支持具を点検口へ引き出すことができる。
【００４２】
請求項３の発明によれば、請求項１に記載の引分け連動戸において、閉じた状態の左右の扉（１２，１３）の左右端間における上方に、点検口（４７ａ）を開閉する点検パネル（４７）を備え、従動プーリの支持具における点検パネルから外れた箇所が溝形成具の溝に挿入されることにより固定された引分け連動戸であり、従動プーリの浮き上がりを防止することができる。また、壁面の背後の空洞内所定箇所に従動プーリを簡易に取り付けることができるし、空洞内から簡易に取り出して点検をすることができる。
【００４３】
請求項４の発明によれば、請求項１に記載の引分け連動戸において、要点検部が引分け連動機構におけるストップ装置である引分け連動戸であり、点検パネルを開くのみでストップ装置の保守、点検が可能になる。
【００４４】
請求項５の発明によれば、請求項１に記載の引分け連動戸において、要点検部が引分け連動機構における連結体の扉に対する連結部であり、この連結部が点検口側に転動可能である引分け連動戸であるから、連結体の連結部を点検口側に回動させることにより、正面から連結体の取付け、点検、固定位置調整等を行うことができる。従って、連結体の取付け操作等を天井等により妨げられることなく簡易かつ迅速に行うことができる。
【図面の簡単な説明】
【図１】本発明の実施の形態１に係る引分け連動戸を設けた建物の壁面を示す正面図である。
【図２】図１中、ＩＩ−ＩＩ線矢視断面図である。
【図３】閉扉状態での引分け連動機構を示す正面図である。
【図４】開扉状態での引分け連動機構を示す正面図である。
【図５】図３中、左扉の上方の拡大図である。
【図６】図３中、右扉の上方の拡大図である。
【図７】（Ａ）は図３中、左戸袋の上方の拡大図、（Ｂ）は図４中、左戸袋の上方の拡大図である。
【図８】図４中、右扉の上方の拡大図である。
【図９】図８中、ＩＸ−ＩＸ線矢視断面図である。
【図１０】図８中、Ｘ線矢視断面図である。
【図１１】本発明の実施の形態２に係る引分け連動戸を示す、図８と同様な図である。
【図１２】図１１中、ＸＩＩ−ＸＩＩ線矢視断面図である。
【図１３】図１２中、ＸＩＩＩ部拡大図である。
【図１４】本発明の実施の形態３に係る引分け連動戸におけるタイミングベルトの連結部を連結作業時の状態で示す正面図である。
【図１５】タイミングベルトの連結部を連結作業完了後の状態で示す正面図である。
【図１６】本発明の実施の形態４に係る引分け連動戸におけるタイミングベルトの連結部を示す正面図である。
【図１７】タイミングベルトの連結部の部分平面図である。
【図１８】本発明の実施の形態５に係る引分け連動戸におけるタイミングベルトの連結部を連結前の状態で示す側面図である。
【図１９】タイミングベルトの連結部を連結後の状態で示す側面図である。
【図２０】図１９中、ＸＸ線矢視図である。
【図２１】本発明の実施の形態６に係る引分け連動戸における右扉の上方を示す正面図である。
【図２２】図２１中、ＸＸＩＩ−ＸＸＩＩ線矢視図である。
【図２３】従来の引分け連動戸を設けた建物の壁面を示す正面図である。
【符号の説明】
１２，１３…左右の扉
１４，１５…左右の戸袋
１８…引分け連動機構
２４，２５…支持具
２６，２７…従動プーリ
２８，２９…溝形成具
３０…溝
３２…タイミングベルト
３４ａ，３４ｂ…連結具
４３…板バネ
４４…ローラ
４７…点検パネル
４７ａ…点検口
【図１】
0003892284.tif 000002
【図２】
0003892284.tif 000003
【図３】
0003892284.tif 000004
【図４】
0003892284.tif 000005
【図５】
0003892284.tif 000006
【図６】
0003892284.tif 000007
【図７】
0003892284.tif 000008
【図８】
0003892284.tif 000009
【図９】
0003892284.tif 000010
【図１０】
0003892284.tif 000011
【図１１】
0003892284.tif 000012
【図１２】
0003892284.tif 000013
【図１３】
0003892284.tif 000014
【図１４】
0003892284.tif 000015
【図１５】
0003892284.tif 000016
【図１６】
0003892284.tif 000017
【図１７】
0003892284.tif 000018
【図１８】
0003892284.tif 000019
【図１９】
0003892284.tif 000020
【図２０】
0003892284.tif 000021
【図２１】
0003892284.tif 000022
【図２２】
0003892284.tif 000023
【図２３】
0003892284.tif 000024